(57)【要約】【課題】毎年春先から晩秋まで発生するカメ虫対策には、春先カメ虫が活発に産卵行動を起こす時期に果樹園全体に薬剤散布し、果樹等にカメ虫の食害から守る為収穫までの期間薬害散布駆除を必要としている。薬剤散布から逃れたカメ虫が集団越冬するが、越冬場所を見つけての薬剤駆除は出来ずにいた。【解決手段】本発明は、越冬場所である最適な棲家を捕獲器内に提供し、捕獲器内に囮のカメ虫を用い仲間を呼び寄せ、集団で越冬するカメ虫を捕獲器事焼却駆除するものである。  この捕獲器を用いる事で、春先カメ虫の発生を抑えることが出来る。【選択図】図1
2014090705.tif 000002
【特許請求の範囲】
【請求項１】
サンドイッチ構造の捕獲器周辺にカメ虫の進入路を設け、進入路内に脱出防止機能のトラップの部材を設けた事を特徴とする特許請求項1のカメ虫捕獲器。
【請求項２】
カメ虫捕獲器の侵入路内に侵入が容易であるが、脱出が出来ない柔軟性を有する部材をトラップ部材とした事を特徴とする特許請求項1のカメ虫捕獲器。
【請求項３】
カメ虫捕獲器の進入路に設けたトラップの部材は、カメ虫がトラップを乗り越えた後、トラップ部材が簡単に復元する部材とした事を特徴とする特許請求項1のカメ虫捕獲器。
【請求項４】
トラップである部材、厚紙を折り曲げ、カメ虫が厚紙を乗り越えた後、折り曲げた厚紙が乗り越える前の状態に復元するトラップとした事を特徴とする特許請求項1のカメ虫捕獲器。
【請求項５】
捕獲器内にカメ虫の棲みかの空室を設け、空室壁一端に開閉する蓋を設けた事を特徴とする特許請求項２のカメ虫捕獲器。
【請求項６】
蛇腹折りした谷間の溝一端にカメ虫が入り込める切れ目を設けたトラップとした事を特徴とする特許請求項３のカメ虫捕獲器。
【請求項７】
捕獲器に、太陽光から蓄熱を得る部材を捕獲器表面に設けたことを特徴とする特許請求項４のカメ虫捕獲器。
【発明の詳細な説明】
【技術分野】
【０００１】
本発明は、稲作、果樹、野菜の被害を与える害虫であるカメ虫を捕獲駆除に関するものである。
【背景技術】
【０００２】
近年、カメ虫の天敵が少ない為、カメ虫の発生が年々増してきている。
【０００３】
農家、果樹園等ではカメ虫駆除に薬剤を用いカメ虫に直接散布し駆除するしか効果がなかった。
【０００４】
カメ虫の被害は、稲作、野菜、果樹、果物等の食害から、越冬の為、農家山地のホテル、旅館等への侵入し悪臭を放ち等の被害があった。
【０００５】
特に山地の温泉での観光客相手のホテル、旅館などでは越冬の為、客室、浴室浴槽進入したカメ虫の臭いの被害に悩まされていた。
【０００６】
部屋に侵入したカメムシ捕獲には、掃除機での吸引、又は、テッシュペーパーで取り押さえての捕獲しか対処の使用が無かった。
【０００７】
掃除機での吸引捕獲、テッシュペーパーでの捕獲などでは、カメムシが発する不快な臭に悩まされていた。
【先行技術文献】
【特許文献】
【０００８】
【特許文献１】特開2011-030549
【特許文献２】特開2008-161090
【発明の開示】
【発明が解決しようとする課題】
【０００９】
年々発生が多くなってきているカメ虫を、薬剤を用いないで越冬期間集団で越冬する習性を捉え捕獲器を用い駆除する事にある。
【課題を解決するための手段】
【００１０】
カメ虫が発する不快な臭いは、敵から身を守る為以外に、仲間同士の通信手段として用いられ、臭いをゆっくり出したときは、仲間を呼び集め、突然出したときは危険、逃げろと言う信号の役割をしている。
【００１１】
本発明は、越冬前の気温の高い時期、越冬場所を探し回る習性を捉え最適な越冬場所の棲みかとなる捕獲容器を提供し、互いに寒さから身を守る為に、仲間を呼びよせ寄り添って集団で越冬するカメ虫を捕らえ駆除する事にある。
【発明の効果】
【００１２】
越冬の為、寒さから身を守る為に互いに仲間を呼び寄せ捕獲器に大量に侵入してきたカメ虫を捕獲器事焼却駆除する事で、いやな臭いを浴びる事無く翌年のカメ虫の繁殖を防ぐことが出来る。
【発明を実施するための最良の形態】
【００１３】
越冬前の、気温の高い時棲みよい越冬場所を求め、動き回るカメ虫を捕獲器内に道引き、一度捕獲器に入ったら脱出できない、構造であるトラップを設け捕獲器内に閉じ込め厳冬期に捕獲器を焼却駆除する。
【実施例１】
【００１４】
紙又は発泡スチロール、断熱性のプラ板等の板状部材でサンドイッチ構造の捕獲器は、表、裏面板部材間に、挟み込まれた部材に進入路を設けた中央が空洞の捕獲器で有る。
【００１５】
サンドイッチ構造の捕獲器外周の、表面に隙間、溝、進入路を設け、捕獲器中央をカメ虫の越冬場所の棲みかの越冬室の空間の部屋とする。
【００１６】
越冬室は、風を遮る適度の保温性を有する部屋とし捕獲器の材質は、風、外気温をよせつけない断熱、保温性を有する部材を用いる。
【００１７】
風を遮り保温性を有する30センチ四方の板状、パネル状のサンドイッチ構造で部材材質は、本発明では段ボ―ルを用いている。
【００１８】
屋外にカメ虫捕獲器を設置するため、段ボール表面を雨から守る為、ビニールコーテング、防水処理等を施して、木立、果樹等に巻き付け取り付けられるようにしても良い。
【００１９】
サンドイッチ構造の捕獲器内外周部にカメ虫侵入路を複数設ける。
【００２０】
角型サンドイッチ構造の捕獲器の各側面、４面にカメ虫侵入路を複数設ける。
【００２１】
侵入路内に、一度捕獲器に入ったら脱出できない、構造であるトラップの部材をカメ虫侵入路内に設ける。
【００２２】
トラップは、カメ虫が侵入する際は、トラップの上を乗り越えて侵入できるが、捕獲器から出るときは、トラップが障害となって出ることが出来ない構造となっている。
【００２３】
トラップの材質は、カメ虫が乗ると折れやすく柔軟性があり、容易にカメ虫が乗り越える事が出来る材質のセロハン、ナイロン、塩ビ板、ポリエステル、紙繊維等、柔軟性を有す、カメ虫が乗り越えると復元する材質のものを用いる。
【００２４】
本発明の侵入が容易で、脱出が不可能なトラップ構造の材質は、紙テープ一端を折り曲げ接着、他の一片を接着材で侵入路に貼り付けして、トラップ構造として活用としても良い。
【００２５】
本発明の紙テープを用いたトラップは、既存の紙製のマキングテープを用いている。
【００２６】
８ミリ幅のマキングテープ長さ２センチ程を剥がし折り返し接着しさらに１センチ程剥ぎ取り切断後カメ虫侵入路に接着し取り付ける。
【００２７】
チャバネアオカメ虫の場合は８ミリ幅のトラップ、ツヤアオカメ虫の場合は１２ミリ幅、クサギカメ虫１４ミリ幅の脱出防止弁  カメ虫の種類に応じて脱出防止のトラップの大きさを変えて使用する。
【００２８】
本発明のカメ虫捕獲器のカメ虫脱出防止トラップに、紙製のマキシングテープを用いているが、セロハンテープ、ビニールテープ、その他類似したテープを用いても良い。
【００２９】
本発明の脱出防止トラップは、１枚構造となっているが、柔軟性の有する櫛状の構造のトラップとしても良い。
【００３０】
本発明の脱出防止トラップは、テープ状の１枚構造となっているが、不揃いの１センチ〜３センチ程の針状繊維を脱出防止トラップとしても良い。
【００３１】
脱出防止トラップを伸縮性、クッション性を有するスポンジ等を用いても良い。
【００３２】
捕獲器の侵入路の脱出防止トラップ両端に隙間を空けこの隙間から仲間を呼び寄せる臭気口とする。
【００３３】
越冬時に寒さから身を守る為に集団で身を寄せ塊となり越冬するが、冬前気温の高い日、隙間、溝などに身を隠していたカメ虫がより良い越冬場所を求め、飛び回り住み良い棲みかを見つけると、仲間を呼び寄せる匂いを発生する。
【００３４】
カメ虫捕獲器に入ったカメ虫が、翌日気温が上昇すると捕獲器内を動き回るが、夕方気温が下がり始めると最適な棲みかとなる為、再度臭いを出し捕獲器内に仲間を呼び寄せる事となる。
【実施例２】
【００３５】
ダンボール板部材をサンドイッチ構造に貼り合わせ、中央を棲みかの部屋を作り、挟み込まれたダンボール板部材に侵入幅に適した幅にカッターで切断切れ目を入れダンボール構造の隙間に、接着剤を注入しカメ虫が潜り込みが出来る高さにダンボールを圧縮し接着剤で固定し進入路を形成する。
【００３６】
侵入路の一部に接着材を用い圧着するだけで、簡単にカメ虫侵入路が形成出来る。
【００３７】
圧着され入口が潰れ奥に行きしだい潰れていない為に、通路の入口が広く奥に進むにしたがい狭くなって形成されている。
【００３８】
圧着形成された進入路奥、この段ボール板材の潰れていない裏面を表層紙を残し裏材を切り撤去する。
【００３９】
切り取られ残った表層紙がトラップの働きとなる。
【００４０】
進入路に入ってきたカメ虫がこの表層紙を乗り越えて、捕獲器内に侵入する事になる。
【００４１】
ダンボール板部材の加工された表層紙のトラップは、カメ虫が乗り越え通り抜けた後は、元の厚さのダンボールの厚さに表層紙が復元されるトラップである。
【００４２】
進入路は、入口が広く又高く入りやすく奥に進むにしたがい狭くなっているが、捕獲器内からは、出口が無く脱出が出来ず捕獲器内周辺を動き回るだけとなる。
【００４３】
捕獲器表面が防水加工されている為、風雨に耐え野外でも捕獲器が設置できる。
【実施例３】
【００４４】
本発明の捕獲器は、捕獲器内に囮のカメ虫を入れ囮のカメ虫が仲間を呼び寄せる臭いを発生させ捕獲するものである。
【００４５】
捕獲器の構成されている部材は、表ダンボール板と裏面のダンボール板間に同じダンボール、厚紙で出来たトラップ機能を有する部材を設け中央を棲みかの空室を設けたものである。
【００４６】
本発明の、カメ虫捕獲器は、ダンボール板を重ね合わせたサンドイッチ構造で中央に空室を設け空室内壁部に捕まえた囮のカメ虫を入れる為の蓋となる切れ目を設け開閉出来る蓋とする。
【００４７】
カメ虫捕獲器裏面に囮のカメ虫を入れる為の蓋を設けているが、必ずしも裏面でなくても、表面に蓋となる切れ目をダンボール中央に設けても良い。
【００４８】
本発明の捕獲器形状は、角型のサンドイッチの形状で有るが、同じ機能等を備えている捕獲機能を有していれば、必ずしも角型でなくても円型形状としても良い。
【実施例４】
【００４９】
本発明のトラップの材質は、紙、厚紙、ダンボール板をトラップ部材として用いている。
【００５０】
本発明のトラップは、厚紙を９０度から１８０曲げた折り曲げた際、紙が元に戻るわづかな力をトラップの機能に使用している。
【００５１】
カメ虫がトラップを乗り越えた後トラップである紙が復元され、進入が出来るが、出ようとするトラップの紙が進入路を防ぎ、紙が障害となり出る事が出来なくなる構造のトラップで有る。
【００５２】
紙を折り曲げた構造のトラップとする事で、簡単、安価なトラップが出来、捕獲器の構成している材質を発泡スチロール等で金型で一体形成された捕獲器内に本発明のトラップを用いても良い。
【００５３】
本発明のトラップ材質は紙、繊維シートに表面にプラスチックのコ―テングした材質の紙製部材を使用しても良く、プラスチックフイルムのシートを活用しても良い。
【００５４】
セロハンテープ一端を折り返し接着し、他一端を捕獲器内に接着したトラップとしても良いこの時、弁のような構造となっても良い。
【００５５】
弁のような構造のトラップにカメ虫が無理に入り込めるように、縦に切れ目を設けてより入りやすくしても良い。
【００５６】
本発明のカメムシ捕獲器は、カメ虫の棲みかとなる空室に囮カメ虫を捕獲器内に入れる為の開閉できる蓋、とトラップ機能を有している捕獲器である。
【００５７】
本発明の捕獲器トラップは上記したトラップとなっているが、進入路を切り取り切り取られ場所に実施例１，２，３，４、等のトラップを用いても良い。
【００５８】
上記記述した実施例４までのトラップは、カメ虫がトラップを乗り越えて捕獲器内に侵入し捕えるトラップである。
【実施例５】
【００５９】
実施例5は、進入路に入ったカメ虫が塞がれている紙製部材のトラップを頭で押し上げて捕獲器内に侵入するものである図10、図11、図12、図13、図14参照。
【００６０】
進入路はカメ虫が進入に従い高さが無くなり狭く、塞がれている紙製トラップを頭で押し上げ進入するが、捕獲器内からは、脱出しようとする際は、蓋のように塞がれている紙製トラップを持ち上げて脱出しなければならないが、カメ虫の触手ではトラップを頭まで持ち上げが出来ず脱出が不可能となり、捕獲器内の出口を求め動き回るだけとなる。
【００６１】
紙製部材トラップは進入路を蓋が覆うように設け、トラップ部材一端を進入路に接着、他は接着せず弁のようなトラップ部材が頭で持ち上げ可能の蓋で又、蓋が塞がる用に進入路に取り付け接着する。
【００６２】
使用しているトラップ部材の紙製部材の厚さは、カメ虫の種類によって大き、厚さが異なるが、捕まえようとするカメ虫の大きさに合わせ、トラップ部材の厚さを考慮し最適と思われる厚さの部材を用いる。
【００６３】
小型のカメ虫に対しては、トラップ部材の紙部材に切れ目を入れ小さな押し上げる力で紙部材が持ち上がるトラップとして用いても良い。
【００６４】
実施例５は、カメ虫がトラップを頭で押し上げて進入するトラップで有る。
【実施例６】
【００６５】
本発明の請求項３のトラップは、蛇腹折りした溝の谷間にカメムシが入り込める切れ目、隙間を設けたトラップである。
【００６６】
蛇腹折りした厚紙を円め円筒状にし、両端を厚紙で塞ぎこの厚紙内に切れ目を入れカメ虫を出し入れする蓋として、この円筒状室内をカメムシの棲みかの捕獲器とする。
【００６７】
蛇腹折りした厚紙の溝の谷間にカメムシが辛うじて入り込める切れ目を隙間を設けこの切れ目をこじ開けて侵入する。
【００６８】
侵入したカメムシは捕獲器内から脱出しようするが、捕獲器からは折り曲げられた溝の谷には切れ目隙間が無く溝の谷間を動き回るだけで脱出が出来ない構造となっている。
【００６９】
蛇腹折りした厚紙を半円形状にし、両端を塞ぎ一端に開閉できる蓋を設けた半径状の筒状の捕獲器としても良い。
【００７０】
蛇腹折りした厚紙部材を箱状表層部に設けたカメ虫捕獲器としても良い。
【００７１】
上記した蛇腹折りした溝の谷間に切れ目を設けたトラップで有れば、材質は、紙で無くともppシート他のシート等を活用とした部材で有っても良い。
【実施例７】
【００７２】
請求項４の蓄熱部材を捕獲器表面に設け、カメ虫のもつ温度感知する能力が、捕獲器が適度の温度を保有するのを見つけ、カメ虫が好む暖かい所に集まる習性を捉え捕獲器にカメ虫を誘き寄せる捕獲器とするものである。
【００７３】
捕獲器表面に設ける蓄熱部材は、捕獲器表面に空室を設けこの空室をビニール等で覆い密封し、空室内を太陽光で温める事で、覆ったビニール表面が暖かくカメ虫が温度を感知して集まる事になる。
【００７４】
捕獲器表面に設けた空室を黒い塗料で塗装してより、太陽光を吸収するようにする。
【００７５】
水を吸収した水性ポリマーをビニール等で覆い蓄熱材として用いても良い。
【００７６】
捕獲器表面に適度の厚さのシート状不折布繊維を設け、ビニールで覆い密封し保温室としても良い。
【実施例８】
【００７７】
カメ虫の特性及び習性を提示する。
【００７８】
カメ虫の特性である匂い成分が強く発すると、仲間に危険逃げろの、臭いとなり、少なくゆっくりと出す場合は、仲間を呼び寄せる臭いとなる。
【００７９】
又、カメムシは、物を見る際、周辺の温度分布を知覚する能力、特定の光の周波数を好み、ある光の周波数の色に集まる事も解ってきた。
【００８０】
晩秋からから初冬前にかけて気温の高い日中、飛び回り棲みかを求め集団で身を寄せ塊となって、風、寒さから身を守り越冬する習性が有る。
【００８１】
越冬前に風、寒さから身を守る事の出来る棲みかを求め飛び回るカメ虫に越冬に適した棲みかとなる捕獲器を果樹園周辺の木立、果樹に巻き付けて使用するものである。
【００８２】
カメ虫自身に捕獲器を見つけさせるが、囮となるカメ虫を捕まえ捕獲器内に閉じ込めて使用しても良い。
【００８３】
囮のカメ虫を捕獲器内に閉じ込めるが、囮カメ虫が多い程、仲間が多くよってくる。
【００８４】
カメ虫捕獲器内に、囮のカメ虫を入れ閉じ込め、このカメ虫が出す仲間を呼び寄せるフェロモンを利用する事でより短期間に多くのカメ虫を捕獲器内に導く事で大量に捕獲できる。
【００８５】
晩秋越冬の為、風の当たらない日当たりのよい南向きの建物のうち、温度が他周辺より高い所を感知し集まってくるのを捉え、捕獲器に太陽光の熱を蓄えカメムシを誘き寄せる事が出来、より多くのカメ虫を捕獲駆除できる。
【産業上の利用可能性】
【００８６】
果樹園でのカメ虫駆除には、薬剤を用い散布駆除しているが、薬剤の散布する場所が大きく、果樹園周辺の木立等に逃れたカメ虫の駆除は出来す、春先逃れたカメ虫が、春先又産卵し大発生する、薬剤代が大きな果樹園農家の経営上の大きな負担となっていた。
【００８７】
本発明のカメ虫捕獲器を用いると越冬の為、果樹園周辺に散ジリに逃れた、仲間同士を呼び集め集団で捕獲器内で越冬する大量のカメ虫の駆除ができ、翌年のカメ虫の発生を抑えることが出来る。
【００８８】
カメ虫捕獲器は、紙、段ボール等で作られている為、安価で、薬剤を使用せず捕獲器事焼却駆除出来、環境にも優しい利点がある。
【００８９】
従来、越冬するカメ虫を見つけ薬剤での駆除は出来なかった、この為越冬したカメ虫が翌年産卵発生する、を繰り返していた。
【００９０】
本発明は、生き延びて果樹園周辺の木立樹皮、室で越冬しようとするカメ虫を、囮のカメ虫を用い、捕獲器内に導き集団で越冬させ、厳冬期捕獲器事焼却駆除するものである。
【００９１】
従来逃げ延びたカメ虫を集団で捕獲できる事で春先のカメ虫発生を押さえる事で、薬剤費、散布作業を軽減出来る。
【図面の簡単な説明】
【００９２】
【図１】本発明のサンドイッチ構造の捕獲器全体斜視図。
【図２】本発明の捕獲器の表層段ボール板を取り除いた斜視図。
【図３】本発明のトラップ部材の拡大斜視図。
【図４】捕獲器内に切れ目を入れた開閉できる蓋。
【図５】本発明の捕獲器の表層板部材を取り除いた捕獲器内部の斜静図。
【図６】果樹等の立つ木に巻き付けて使用する捕獲器の表層板を取り除いた斜視図。
【図７】果樹等の立つ木に巻き付けて使用する捕獲器の斜視図。
【図８】本発明の蛇腹折りした溝の谷に切れ目を入れてトラップとした捕獲器の斜視図。
【図９】厚紙を蛇腹折りに曲げ溝の谷間に切れ目を入れたトラップ。
【図１０】侵入路に設けたトラップをカメ虫が頭で押し上げて捕獲器に潜り込むことが出来るトラップを設けた表層板部材の表面斜視図である。
【図１１】トラップを設けた表面板部材の裏面の斜視図である。
【図１２】表層板部材裏面の侵入路を塞ぐ紙性部材のトラップを設けた部分拡大斜視図。
【図１３】表層板部材裏面の侵入路を塞ぐ紙性部材のトラップを設けた斜視図。
【図１４】トラップを押し上げて侵入できる捕獲器である。
【図１５】本発明の捕獲器に表面に、蓄熱部材を設けた全体斜視図。
【符号の説明】
【００９３】
１  捕獲器
２  捕獲器表層板状部材
３  捕獲器裏面板状部材
４  蓋
５  段ボールを加工したトラップ
６  捕獲器を結束線で果樹等に取り付ける為のハトメ穴
7  厚紙を蛇腹折りに折り曲げた溝谷間に切れ目を入れたトラップ
8  侵入路に塞ぐ形で出来た紙製部材のトラップ。
9  侵入路入口
10  段ボールを圧着成形した侵入路。
11  はトラップを押し上げて侵入できる捕獲器である。
12  蓄熱部材。
【図１】
2014090705.tif 000003
【図２】
2014090705.tif 000004
【図３】
2014090705.tif 000005
【図４】
2014090705.tif 000006
【図５】
2014090705.tif 000007
【図６】
2014090705.tif 000008
【図７】
2014090705.tif 000009
【図８】
2014090705.tif 000010
【図９】
2014090705.tif 000011
【図１０】
2014090705.tif 000012
【図１１】
2014090705.tif 000013
【図１２】
2014090705.tif 000014
【図１３】
2014090705.tif 000015
【図１４】
2014090705.tif 000016
【図１５】
2014090705.tif 000017